(57)【要約】【課題】分析処理を自動化して作業員の労力を大幅に軽減すると共に処理時間を大幅に短縮する。【解決手段】少なくとも３種類の展開溶媒２、３、４を夫々容器５、６、７に収容する。前後左右に移動可能とした溶媒添加針支持体８に、前後方向に並べて展開溶媒２、３、４と同数の溶媒添加針１６、１７、１８を保持する。溶媒添加針１６、１７、１８と展開溶媒２、３、４の夫々とを、途中部に送液ポンプ２２、２３、２４を設けた溶媒給送パイプ１９、２０、２１をもって接続する。溶媒添加針１６、１７、１８の下方位置において左右方向に沿ってカラムラック２８を配設し、該カラムラック２８に複数のカラム３０を一列に並べて保持する。カラム３０の下方位置において前後方向に移動可能とした回収管ラック３１に複数の回収管３７を保持する。該回収管３７は、カラムの本数と同数をもって一列とし且つ前後方向に溶媒添加針１６、１７、１８の本数と同数の列を形成する。【選択図】図６
0003135990.tif 000002
【実用新案登録請求の範囲】
【請求項１】
後記各部材を収容する筐体と、少なくとも３種類の展開溶媒及び各展開溶媒を収容する容器と、前後左右に移動可能とした溶媒添加針支持体及び該溶媒添加針支持体に前後方向に並べて保持された、前記各展開溶媒に対応する本数の溶媒添加針と、前記溶媒添加針と前記展開溶媒の夫々とを接続する、途中部に送液ポンプを設けた溶媒給送パイプと、前記溶媒添加針の下方位置において左右方向に沿って配設したカラムラック及び該カラムラックに一列に並べて保持した複数のカラムと、前記カラムの下方位置において前後方向に移動可能とした回収管ラック及び該回収管ラックに保持された、前記カラムの本数と同数をもって一列とし且つ前後方向に前記溶媒添加針の本数と同数の列を形成する複数の回収管とからなる自動オープンクロマトグラフィー装置。
【請求項２】
カラムラックを、筐体内に設けた支持アームをもって支持すると共に該支持アームに対して着脱可能としてなる請求項１記載の自動オープンクロマトグラフィー装置。
【考案の詳細な説明】
【技術分野】
【０００１】
本考案は自動オープンクロマトグラフィー装置に関するものである。
【背景技術】
【０００２】
従来、有機合成化学や分析分野においては、微量生成物の精製、単離等を行うためにカラムクロマトグラフィーが利用されている。
【０００３】
そして、斯かるカラムクロマトグラフィーによってサンプルの分析を行う場合、従来においても本出願人らにおいては、３種類の展開溶媒、例えばヘキサン、ヘキサンとジクロロメタンの混合溶媒、ジクロロメタンを使って同一のサンプルに対して３種類の試料を作り、最も重要な第２番目の試料と併せて第１番目と第３番目の試料も分析するようにしていた。これは、１種類の展開溶媒のみによって分析する場合に比べてより一層精密な分析結果を得ることができるからである。
【０００４】
しかし、斯かる分析処理は全て手作業によって行われていた。その処理手順は以下の通りである。
（１）カラム（固相抽出管）にクリーンアップ用溶媒（第１展開溶媒）を一定量流す（例えばヘキサン５ｍｌ）。
（２）カラムに第１展開溶媒に溶解させたサンプル（約０．１ｍｌ）を添加し、しばらく待つ。
（３）展開された溶媒を受ける容器をカラム下にセットする。
（４）カラムに第１展開溶媒を一定量流す（例えばヘキサン２ｍｌ）。
（５）展開された溶媒を受ける容器を交換し、次の容器をセットする。
（６）カラムに第２展開溶媒を一定量流す（例えばヘキサン／ジクロロメタン混合溶媒３ｍｌ）。
（７）展開された溶媒を受ける容器を交換し、次の容器をセットする。
（８）カラムに第３展開溶媒を一定量流す（例えばジクロロメタン３ｍｌ）。
【０００５】
そして、上記のように全てを手作業によって行うことから、作業員は付きっ切りで作業しなければならず、多大な労力と時間を要するものであった。そのためこの点の改善が切に望まれていた。
【考案の開示】
【考案が解決しようとする課題】
【０００６】
本考案は上記の点に鑑みなされたものであって、従来手作業によって行っていた上記分析処理を自動化することにより、作業員の労力を大幅に軽減すると共に処理時間を大幅に短縮することができるようになした自動オープンクロマトグラフィー装置を提供しようとするものである。
【課題を解決するための手段】
【０００７】
而して、本考案の要旨とするところは、後記各部材を収容する筐体と、少なくとも３種類の展開溶媒及び各展開溶媒を収容する容器と、前後左右に移動可能とした溶媒添加針支持体及び該溶媒添加針支持体に前後方向に並べて保持された、前記各展開溶媒に対応する本数の溶媒添加針と、前記溶媒添加針と前記展開溶媒の夫々とを接続する、途中部に送液ポンプを設けた溶媒給送パイプと、前記溶媒添加針の下方位置において左右方向に沿って配設したカラムラック及び該カラムラックに一列に並べて保持した複数のカラムと、前記カラムの下方位置において前後方向に移動可能とした回収管ラック及び該回収管ラックに保持された、前記カラムの本数と同数をもって一列とし且つ前後方向に前記溶媒添加針の本数と同数の列を形成する複数の回収管とからなる自動オープンクロマトグラフィー装置にある。
【０００８】
また、上記構成において、カラムラックを、筐体内に設けた支持アームをもって支持すると共に該支持アームに対して着脱可能としてもよい。
【考案の効果】
【０００９】
本考案は上記の如き構成であり、従来手作業によって行っていた前記分析処理を自動化したものであるから、作業員の労力を大幅に軽減することができると共に処理時間を大幅に短縮することができるものである。また一度に多数のサンプルの分析処理を行うことができ、処理能率を大幅に向上させることができるものである。
【００１０】
また、カラムラックを、筐体内に設けた支持アームをもって支持すると共に該支持アームに対して着脱可能としてなる場合には、カラムラックを支持アームから取り外して装置外でカラムへのサンプルの注入等の作業を行うことができ、作業をよりスムーズに行うことができるものである。
【考案を実施するための最良の形態】
【００１１】
本考案を実施するための最良の形態は、後記各部材を収容する筐体と、少なくとも３種類の展開溶媒及び各展開溶媒を収容する容器と、前後左右に移動可能とした溶媒添加針支持体及び該溶媒添加針支持体に前後方向に並べて保持された、前記各展開溶媒に対応する本数の溶媒添加針と、前記溶媒添加針と前記展開溶媒の夫々とを接続する、途中部に送液ポンプを設けた溶媒給送パイプと、前記溶媒添加針の下方位置において左右方向に沿って配設したカラムラック及び該カラムラックに一列に並べて保持した複数のカラムと、前記カラムの下方位置において前後方向に移動可能とした回収管ラック及び該回収管ラックに保持された、前記カラムの本数と同数をもって一列とし且つ前後方向に前記溶媒添加針の本数と同数の列を形成する複数の回収管とをもって構成することにある。
【実施例】
【００１２】
以下、本考案の実施例について説明する。
図１は本考案の実施例の一部省略して示した正面図、図２は同側面図、図３はカラムラック及びカラムの正面図、図４は同側面図、図５は同平面図、図６は本考案の作用説明図、図７は本考案の動作を示すフローチャートである。
【００１３】
図中、１は後記各部材を収容する筐体である。２、３、４は３種類の展開溶媒であり、２は第１展開溶媒であるヘキサン、３は第２展開溶媒であるヘキサンとジクロロメタンの混合溶媒、４は第３展開溶媒であるジクロロメタンである。５、６、７は前記各展開溶媒を収容する容器である。
【００１４】
８は溶媒添加針支持体であり、前後方向（Ｘ方向）及び左右方向（Ｙ方向）に移動可能である。この移動は、左右方向（Ｙ方向）への移動を例にとると、ステッピングモータ９の回転力をプーリ１０、１１及びこれらに掛け回したベルト１２をもってプーリ１１に伝達し、該プーリ１１とプーリ１３に掛け回したベルト１４を移動させることによってこれに接続した移動板１５を移動させるものである。そして、これにより該移動板１５に取り付けられた溶媒添加針支持体８も左右方向（Ｙ方向）に移動するものである。また、前後方向（Ｘ方向）への移動も同様の機構によって行うものである。
【００１５】
１６、１７、１８は前記溶媒添加針支持体８に前後方向に並べて保持された溶媒添加針である。１９、２０、２１は前記溶媒添加針１６、１７、１８と前記各展開溶媒２、３、４の夫々とを接続する溶媒給送パイプであり、途中部に送液ポンプ２２、２３、２４を設けている。尚、２５、２６、２７は前記各溶媒給送パイプ１９、２０、２１の途中部に設けた電磁弁である。
【００１６】
２８は前記溶媒添加針１６、１７、１８の下方位置において左右方向に沿って配設したカラムラックである。また、該カラムラック２８は、前記筐体１内に設けた支持アーム２９をもって支持すると共に該支持アーム２９に対して着脱可能としている。尚、このように着脱可能とするには、例えば、該カラムラック２８の左右両端部に支持片２８ａ、２８ａを延設すると共にこれに切り欠き２８ｂ、２８ｂを設ける一方、支持アーム２９の上面にビス（図示せず。）を螺装し、前記カラムラック２８の支持片２８ａ、２８ａの切り欠き２８ｂ、２８ｂに前記ビスを入り込ませて締め付けるようにする等、適宜の手段を採用して行えばよい。
【００１７】
３０、３０、３０・・・は前記カラムラック２８に一列に並べて保持したカラム（固相抽出管）であり、本実施例においては８サンプルを一度に分析処理することができるように８本としている。
【００１８】
３１は前記カラム３０、３０、３０・・・の下方位置において前後方向（Ｘ方向）に移動可能とした回収管ラックであり、最前の第１列目から後方の第３列目まで、溶媒処理終了ごとに１列宛移動するものである。また、この移動は、ＤＣモータ３２を駆動して駆動プーリ３３と従動プーリ３４間に掛け回したベルト３５を移動させ、該ベルト３５に接続した移動板３６を移動させることによって行っている。これにより該移動板３６に取り付けられた回収管ラック３１も前後方向（Ｘ方向）に移動するものである。
【００１９】
３７、３７、３７・・・は前記回収管ラック３１に保持された回収管である。また、該回収管３７、３７、３７・・・は、前記カラム３０、３０、３０・・・の本数と同数の８本をもって一列とし且つ前後方向に前記溶媒添加針１６、１７、１８の本数と同数の３列としている。したがって、本実施例においては、回収管３７、３７、３７・・・は２４本を一度に保持するようになしている。また、３８、３８、３８・・・は前記カラム３０、３０、３０・・・の下方に配設したドレンコップである。
【００２０】
３９は前記筐体１内の後部に配置した制御部であり、前記各部材の動作管理を行うものである。
【００２１】
次に、図７に示したフローチャートを参照しつつ上記実施例の動作について説明する。
先ず、ステップ１、２においてカラムの洗浄を行う。即ち、溶媒添加針支持体８を後方側に移動させて、第１展開溶媒添加針１６をカラム３０の上部に移動させる（ステップ１）。次に、カラム３０に第１展開溶媒２を添加し、洗浄後の廃液をドレンコップ３８に排出する（ステップ２）。次に、カラム３０にサンプルを注入する（ステップ３）。尚、８本のカラム３０の夫々には別のサンプルを注入するが、このカラム３０へのサンプルの注入は、カラムラック２８を一旦取り外して装置外にて行い、注入後再びセットするものである。
【００２２】
次に、回収管ラック３１を後方側に移動させて、最前の第１列目の回収管３７をカラム３０の下部に移動させる（ステップ４）。次に、カラム３０に第１展開溶媒２を添加する（ステップ５）。また、これは溶媒添加針支持体８を左右方向（Ｙ方向）に順次移動させて、カラムラック２８に一列に保持された８本の全てのカラムに対して行う。そして、カラム３０から出た試料を回収管３７に回収する（ステップ６）。
【００２３】
次に、回収管ラック３１を前方側に移動させて、中間の第２列目の回収管３７をカラム３０の下部に移動させる（ステップ７）。また、これと同時に溶媒添加針支持体８を前方側に移動させて第２展開溶媒添加針１７をカラムの上部に移動させる（ステップ８）。次に、カラム３０に第２展開溶媒３を添加する（ステップ９）。また、これは溶媒添加針支持体８を左右方向（Ｙ方向）に順次移動させて、カラムラック２８に一列に保持された８本の全てのカラムに対して行う。そして、カラム３０から出た試料を回収管３７に回収する（ステップ１０）。
【００２４】
次に、回収管ラック３１を前方側に移動させて、後方の第３列目の回収管３７をカラム３０の下部に移動させる（ステップ１１）。また、これと同時に溶媒添加針支持体８を前方側に移動させて第３展開溶媒添加針１８をカラムの上部に移動させる（ステップ１２）。次に、カラム３０に第３展開溶媒４を添加する（ステップ１３）。また、これは溶媒添加針支持体８を左右方向（Ｙ方向）に順次移動させて、カラムラック２８に一列に保持された８本の全てのカラムに対して行う。そして、カラム３０から出た試料を回収管３７に回収する（ステップ１４）。そして、その後回収管ラック３１を最初のホーム位置に移動させ（ステップ１５）、これと同時に溶媒添加針支持体８を最初のホーム位置に移動させる（ステップ１６）。以上によって処理動作を完了するものである。
【図面の簡単な説明】
【００２５】
【図１】本考案の実施例に係る自動オープンクロマトグラフィー装置の一部省略して示した正面図である。
【図２】本考案の実施例に係る自動オープンクロマトグラフィー装置の側面図である。
【図３】カラムラック及びカラムの正面図である。
【図４】カラムラック及びカラムの側面図である。
【図５】カラムラック及びカラムの平面図である。
【図６】本考案の作用説明図である。
【図７】本考案の動作を示すフローチャートである。
【符号の説明】
【００２６】
１  筐体
２、３、４  展開溶媒
８  溶媒添加針支持体
１６、１７、１８  溶媒添加針
１９、２０、２１  溶媒給送パイプ
２２、２３、２４  送液ポンプ
２８  カラムラック
３０、３０、３０  カラム（固相抽出管）
３１  回収管ラック
３７、３７、３７    回収管
３８、３８、３８  ドレンコップ
【図１】
0003135990.tif 000003
【図２】
0003135990.tif 000004
【図３】
0003135990.tif 000005
【図４】
0003135990.tif 000006
【図５】
0003135990.tif 000007
【図６】
0003135990.tif 000008
【図７】
0003135990.tif 000009